(57)【要約】【課題】ラッチ板に施錠状態への原点復帰機能を備えると共に、南京錠の位置を下段に位置する郵便受け箱に干渉しない位置に置くようにすること。【解決手段】郵便受け箱２の扉４を貫通する外筒体５と、外筒体に連結される内筒体６と、内筒体内の空間７及び外筒体と内筒体の切欠き溝８内に摺動・回動可能に枢着され、ばね部材４０によってラッチ受け９に係合するラッチ板１０と、外筒体に回動自在に嵌挿される摘み部材２０の後端部に連結され、ラッチ板の回動を阻止する阻止面３１とラッチ板の回転を許容する溝部３２とを有するラッチ規制部材３０と、南京錠８０のロックアーム８１が挿通可能な施錠孔６０とを具備し、摘み部材とラッチ規制部材とを、ラッチ規制部材にラッチ板の回動を規制する原点復帰位置への回転力を付勢する復帰ばね部材５０を介在して連結し、施錠孔を、ラッチ板がラッチ受けに係合した状態における外筒体及び摘み部材の上下方向に設ける。【選択図】  図４
2009091728.tif 000002
【特許請求の範囲】
【請求項１】
郵便受け箱の側方開口部を開閉する扉を貫通する外筒体と、この外筒体の突出側後端部に連結される内筒体と、この内筒体内の空間及び上記外筒体と内筒体における対向する側部に設けられた切欠き溝内に摺動及び回動可能に枢着され、内筒体との間に介在されるばね部材の付勢力によって常時上記郵便受け箱のラッチ受けに係合するラッチ板と、上記外筒体に回動自在に嵌挿される摘み部材と、この摘み部材の後端部に連結され、後端面に上記ラッチ板に当接してラッチ板の回動を阻止する阻止面とラッチ板の回転を許容する溝部とを有するラッチ規制部材と、上記外筒体及び摘み部材に設けられ、南京錠のロックアームが挿通可能な施錠孔と、を具備してなる郵便受け箱の錠装置において、
上記摘み部材とラッチ規制部材とを、ラッチ規制部材に上記ラッチ板の回動を規制する原点復帰位置への回転力を付勢する復帰ばね部材を介在して連結し、
上記施錠孔を、上記ラッチ板が上記ラッチ受けに係合した状態における上記外筒体及び摘み部材の上下方向に設けてなる、
ことを特徴とする郵便受け箱の錠装置。
【請求項２】
請求項１記載の郵便受け箱の錠装置において、
上記外筒体における施錠孔の周辺部に、この外筒体の軸線方向と直交する方向に延設される楕円状凹溝を形成してなる、
ことを特徴とする郵便受け箱の錠装置。
【請求項３】
請求項１又は２記載の郵便受け箱の錠装置において、
上記ラッチ板における上記内筒体の切欠き溝の縁部に摺動及び当接する部位に、扉を開けた後のばね部材の付勢力によりラッチ板が回動して切欠き溝の縁部に衝突する際の音を消音する第１の緩衝片を設け、
上記郵便受け箱の内側面に、上記扉を閉めたときに上記ラッチ板の先端部が衝突する際の音を消音する第２の緩衝片を設け、
かつ、上記ラッチ受けにおける上記ラッチ板の頭部と係合可能な係合面を設けると共に、該係合面に扉を開けるときの上記ラッチ板の回動動作を遅くする緩やかな曲面を形成してなる、
ことを特徴とする郵便受け箱の錠装置。
【発明の詳細な説明】
【技術分野】
【０００１】
この発明は、郵便受け箱の錠装置に関するもので、更に詳細には、例えばマンションや集合住宅の玄関先に設置される郵便受け箱の錠装置に関するものである。
【背景技術】
【０００２】
従来、例えばマンションや集合住宅の玄関先に設置される郵便受け箱に使用する錠装置として、ラッチ式のものが多く使用されている。しかし、ラッチ式錠のみでは、単に郵便受け箱の扉を押さえているに過ぎず、容易に開放できるため、種々の方法で使用者以外の者による開放を阻止している。
【０００３】
その中で、ラッチ錠の先端部に形成された挿通孔（施錠孔）に南京錠のロックアームを挿通して施錠するものは、比較的安価であり、操作も容易である。
【０００４】
従来、この種の錠装置として、案内溝を有しかつ扉に固定的に取付けられた外筒部材と、この外筒部材の後端部に一体的に設けられ外筒部材の柱体に回動可能なラッチ板と、このラッチ板の回動を規制して仮施錠することができるように外筒部材に案内切欠部を有する内筒部が嵌挿されかつ該内筒部に逃し用切欠部を有する規制板が一体的に設けられた摘み部材と、この摘み部材の中心孔にスライド自在に嵌挿されかつ前端部に施錠孔が形成されていると共に、後端部に案内切欠部及び案内溝に係合して本施錠の状態にするツク（凸起部）を一体的に有する中軸と、この中軸の施錠孔にロックアームが取付けられかつ該中軸をロックする南京錠とからなる扉の施錠装置が知られている（例えば、特許文献１参照）。
【特許文献１】実公平６−８２２１号公報（実用新案登録請求の範囲、第１図，第２図，第３図）
【発明の開示】
【発明が解決しようとする課題】
【０００５】
しかしながら、特許文献１に記載の施錠装置においては、南京錠のロックアームによりラッチ板の施錠状態を解錠する動作不可とする内部構成を有し、そのために、扉を開く場合は、解錠するために摘み部材を回動させる操作が必要とされ、開放した扉を閉める場合には、摘み部材を逆方向に回動させる操作が必要とされるので、面倒であった。また、摘み部材を回動して開放され、ラッチ板が解錠状態のままの扉を勢いよく閉めると、反動で開放するという問題もあった。
【０００６】
また、特許文献１に記載の施錠装置においては、施錠孔が横向きに形成されており、ラッチ錠の下方に南京錠が位置することとなるため、郵便受け箱のサイズや、使用する南京錠のサイズ等によっては下段に位置する郵便受け箱まで南京錠がはみ出してしまい、下段の郵便受け箱への郵便物の投函や取出し時に邪魔になるという問題もあった。
【０００７】
この発明は、前記事情に鑑みてなされたもので、解錠状態のラッチ板に施錠状態への原点復帰機能を備えると共に、南京錠の位置を下段に位置する郵便受け箱に干渉しない位置に置くようにした郵便受け箱の錠装置を提供することを目的とするものである。
【課題を解決するための手段】
【０００８】
上記目的を達成するために、請求項１記載の発明は、郵便受け箱の側方開口部を開閉する扉を貫通する外筒体と、この外筒体の突出側後端部に連結される内筒体と、この内筒体内の空間及び上記外筒体と内筒体における対向する側部に設けられた切欠き溝内に摺動及び回動可能に枢着され、内筒体との間に介在されるばね部材の付勢力によって常時上記郵便受け箱のラッチ受けに係合するラッチ板と、上記外筒体に回動自在に嵌挿される摘み部材と、この摘み部材の後端部に連結され、後端面に上記ラッチ板に当接してラッチ板の回動を阻止する阻止面とラッチ板の回転を許容する溝部とを有するラッチ規制部材と、上記外筒体及び摘み部材に設けられ、南京錠のロックアームが挿通可能な施錠孔と、を具備してなる郵便受け箱の錠装置において、  上記摘み部材とラッチ規制部材とを、ラッチ規制部材に上記ラッチ板の回動を規制する原点復帰位置への回転力を付勢する復帰ばね部材を介在して連結し、  上記施錠孔を、上記ラッチ板が上記ラッチ受けに係合した状態における上記外筒体及び摘み部材の上下方向に設けてなる、ことを特徴とする。
【０００９】
このように構成することにより、摘み部材を回動してラッチ板とラッチ受けとの係合を解除（解錠）して扉を開いた後、摘み部材の回動を解除すると、復帰ばね部材のばね力の付勢によってラッチ板は、ラッチ規制部材により回動が規制される原点復帰位置に戻る。
【００１０】
また、施錠孔を、ラッチ板がラッチ受けに係合した状態における外筒体及び摘み部材の上下方向に設けることによって、上方から南京錠のロックアームを施錠孔へ挿通することができ、また、横孔の施錠孔に比べて南京錠の位置を高くすることができ、下段に位置する郵便受け箱に干渉しない位置に置くことができる。
【００１１】
この発明において、上記外筒体における施錠孔の周辺部に、この外筒体の軸線方向と直交する方向に延設される楕円状凹溝を形成する方が好ましい（請求項２）。
【００１２】
このように構成することにより、外筒体の強度を維持しつつ小さい南京錠の使用が可能となる。
【００１３】
また、この発明において、上記ラッチ板における上記内筒体の切欠き溝の縁部に摺動及び当接する部位に、扉を開けた後のばね部材の付勢力によりラッチ板が回動して切欠き溝の縁部に衝突する際の音を消音する第１の緩衝片を設け、上記郵便受け箱の内側面に、上記扉を閉めたときに上記ラッチ板の先端部が衝突する際の音を消音する第２の緩衝片を設け、かつ、上記ラッチ受けにおける上記ラッチ板の頭部と係合可能な係合面を設けると共に、該係合面に扉を開けるときの上記ラッチ板の回動動作を遅くする緩やかな曲面を形成する方が好ましい（請求項３）。
【００１４】
このように構成することにより、扉を開放した後にばね部材の付勢力によりラッチ板が回動して切欠き溝の縁部に衝突する際の音を消音することができ、扉を閉めたときのラッチ板の先端部が郵便受け箱の内側面に衝突する際の音を消音することができる。また、ラッチ受けにおけるラッチ板の頭部と係合可能な係合面に、扉を開けるときのラッチ板の回動動作を遅くする緩やかな曲面を形成することで、扉を開けるときのラッチ板のばね部材の付勢力に抗する力を、ラッチ受けとラッチ板との摺接による摩擦で減衰して消音することができる。
【発明の効果】
【００１５】
以上に説明したように、この発明の郵便受け箱の錠装置によれば、上記のように構成されているので、以下の効果が得られる。
【００１６】
（１）請求項１記載の発明によれば、解錠状態のラッチ板に施錠状態への原点復帰機能を備えることができるので、扉を閉める際に摘み部材を逆方向に回動させる手間を省くことができ、しかも、ラッチ板が解錠状態のままの扉を勢いよく閉めても、反動で開放するのを防止することができる。また、南京錠の位置を下段に位置する郵便受け箱に干渉しない位置に置くことができるので、下段の郵便受け箱への郵便物の投函や取出し時に邪魔になるのを防止することができる。
【００１７】
（２）請求項２記載の発明によれば、上記（１）に加えて、更に外筒体の強度を維持しつつ小さい南京錠の使用を可能にすることができ、南京錠の使用に自由度を持たせることができる。
【００１８】
（３）請求項３記載の発明によれば、上記（１），（２）に加えて、更に扉の開閉時におけるラッチ板の回動や、ラッチ板とラッチ受けの係合に伴って発生する音を抑制することができる。
【発明を実施するための最良の形態】
【００１９】
以下に、この発明の最良の実施形態について、添付図面に基づいて詳細に説明する。
【００２０】
図１は、この発明に係る郵便受け箱の錠装置の全体を示す斜視図、図２は、この発明に係る錠装置を構成するラッチ錠の取付部を示す正面斜視図（ａ）及び裏面斜視図（ｂ）、図３は、ラッチ錠の取付状態を示す分解斜視図である。
【００２１】
上記錠装置を構成するラッチ錠１は、郵便受け箱２の側方開口部３を開閉する扉４を貫通し固定ナット５Ａによって固定される外筒体５と、この外筒体５の突出側後端部に連結される内筒体６と、この内筒体６内の空間７及び外筒体５と内筒体６における対向する側部に設けられた切欠き溝８内に摺動及び回動可能に枢着され、内筒体６との間に介在されるばね部材４０の付勢力によって常時郵便受け箱２のラッチ受け９に係合するラッチ板１０と、外筒体５に回動自在に嵌挿される摘み部材２０と、この摘み部材２０の後端部に連結され、後端面にラッチ板１０に当接してラッチ板１０の回動を阻止する阻止面３１とラッチ板１０の回転を許容する溝部３２とを有するラッチ規制部材３０と、外筒体５及び摘み部材２０に設けられ、南京錠８０のロックアーム８１が挿通可能な施錠孔６０とで主に構成されている。
【００２２】
上記摘み部材２０とラッチ規制部材３０は、復帰ばね部材５０を介在して連結されており、復帰ばね部材５０のばね力によってラッチ規制部材３０にラッチ板１０の回動を規制する原点復帰位置への回転力が付勢されている。この場合、摘み部材２０は、外部に突出する大径円板状の摘み部２１と、外筒体５に設けられた段付き孔５ａ内に嵌挿される段付き軸部２２とからなり、段付き軸部２２の先端面（後端面）にねじ孔２３が刻設されている。そして、外筒体５の段付き孔５ａから突出する段付き軸部２２に、ばね受け部材２４と、このばね受け部材２４に一端が係止するコイルスプリングからなる復帰ばね部材５０と、この復帰ばね部材５０の他端が係止するラッチ規制部材３０を嵌挿し、ラッチ規制部材３０の段付き貫通孔３３から挿入される固定ねじ３４をねじ孔２３に螺合することで、摘み部材２０とラッチ規制部材３０とが、９０度の範囲内で相対的に回転力を付勢する復帰ばね部材５０を介在して連結されている。この場合、ラッチ板１０の回転を許容する溝部３２は、図７に示すように、ラッチ規制部材３０の後端面に形成される阻止面３１の中心部を横切る直径方向に設けられており、摘み部材２０及びラッチ規制部材３０の９０度の回転により溝部３２がラッチ板１０の回動を許容する位置に切り換わるようになっている。なお、溝部３２の底は、ラッチ板１０の直状部１２の端部の回動軌跡と相似形の円弧状に形成されている（図５参照）。
【００２３】
上記ラッチ板１０は、凸状円弧状の頭部１１と、この頭部１１の一側部の下端に延在する直状部１２とを一体に形成してなり、直状部１２の長手方向に沿って長孔１３が設けられている。このように形成されるラッチ板１０は、内筒体６内の空間７及び外筒体５と内筒体６における対向する側部に設けられた切欠き溝８内に配設されると共に、外筒体５と内筒体６を貫通する支軸１４が長孔１３を貫通した状態で支持されて、切欠き溝８内に摺動及び回動可能に枢着され、内筒体６との間に介在されるばね部材４０の付勢力によって常時郵便受け箱２のラッチ受け９に係合可能な状態になっている。
【００２４】
なお、ラッチ板１０における内筒体６の切欠き溝８の縁部８ａに摺動及び当接する部位には、扉４を開けた後のばね部材４０の付勢力によりラッチ板１０が回動して切欠き溝８の縁部８ａに衝突する際の音を消音する例えば合成ゴム製の第１の緩衝片７１が設けられている。この場合、ラッチ板１０の直状部１２の一側端部に切欠き段部１５を形成し、この切欠き段部１５に第１の緩衝片７１が接着されて、第１の緩衝片７１の表面とラッチ板１０の直状部１２の一側面とが同一面上に形成されている。なお、切欠き段部１５の底面に例えば半円弧状の凹状部１５ａを形成し、第１の緩衝片７１の接着面に凹状部１５ａに嵌合する半円弧状の凸状部７１ａを形成することにより、第１の緩衝片７１のラッチ板１０への接着を強固にすることができる。
【００２５】
また、郵便受け箱２の内側面には、扉４を閉めたときにラッチ板１０の先端の頭部１１が衝突する際の音を消音する第２の緩衝片７２が設けられている。この第２の緩衝片７２は、例えば合成ゴム製の矩形ブロックにて形成されており、郵便受け箱２の内側面におけるラッチ受け９の奥の近傍部位に接着により固定されている。
【００２６】
また、ラッチ受け９には、ラッチ板１０の頭部１１と係合可能な係合面９ａが設けられている。この係合面９ａは、扉４を開けるときのラッチ板１０の回動動作を遅くする緩やかな曲面に形成されている。
【００２７】
上記のように形成される第１の緩衝片７１と第２の緩衝片７２及びラッチ受け９の係合面９ａによってラッチ錠１の消音機構が構成されている。
【００２８】
上記のように構成される消音機構によれば、第１の緩衝片７１によって扉４を開放した後にばね部材４０の付勢力によりラッチ板１０が回動して切欠き溝８の縁部８ａに衝突する際の音を消音することができる。また、第２の緩衝片７２によって扉４を閉めたときのラッチ板１０の先端頭部１１が郵便受け箱２の内側面に衝突する際の音を消音することができる。更にまた、ラッチ受け９におけるラッチ板１０の頭部１１と係合可能な係合面９ａに、扉４を開けるときのラッチ板１０の回動動作を遅くする緩やかな曲面を形成することで、扉４を開けるときのラッチ板１０のばね部材４０の付勢力に抗する力を、ラッチ受け９とラッチ板１０との摺接による摩擦で減衰して消音することができる。
【００２９】
なお、図２（ｂ）に示すように、扉４の内方側面における郵便受け箱２の開口部３と当接する部位に、例えば合成ゴム製の第３の緩衝片７３を設けることにより、扉４を締める際の扉４と郵便受け箱２との衝突音を消音することができる。
【００３０】
一方、上記施錠孔６０は、ラッチ板１０がラッチ受け９に係合した状態における外筒体５及び摘み部材２０の上下方向に設けられている。この場合、外筒体５における施錠孔６０の周辺部には、この外筒体５の軸線方向と直交する方向に延設される楕円状凹溝６１が形成されている。
【００３１】
上記のように、施錠孔６０を外筒体５及び摘み部材２０の上下方向に設けることにより、上方から南京錠８０のロックアーム８１を施錠孔６０へ挿通することができるので、南京錠８０の取付を容易にすることができる。また、従来の横孔の施錠孔に比べて南京錠８０の位置を高くすることができるので、下段に位置する郵便受け箱２に干渉しない位置に置くことができる。
【００３２】
また、外筒体５における施錠孔６０の周辺部に、外筒体５の軸線方向と直交する方向に延設される楕円状凹溝６１を形成することにより、外筒体５の強度を維持することができると共に、小さい南京錠８０Ａの使用を可能にすることができる（図４（ｂ）参照）。
【００３３】
次に、この発明に係る錠装置の動作態様について、図４ないし図６及び図８を参照して説明する。なお、図８において、摘み部材２０の回動状態を分かり易くするために、摘み部２１の表面に星印２５を施した。
【００３４】
まず、図４及び図８（ａ−Ｉ），（ａ−II）に示す施錠状態（この場合、南京錠８０は取り外されている）から、摘み部材２０を復帰ばね部材５０のばね力に抗して９０度回動する。すると、ラッチ規制部材３０の溝部３２がラッチ板１０の回動を許容する位置に切り換わる（図８（ｂ−II）参照）。この状態で、摘み部材２０を持って扉４を開くと、図５に示すように、ばね部材４０のばね力に抗してラッチ板１０の頭部１１がラッチ受け９の係合面９ａを摺接すると共に、支軸１４を支点として回動し、直状部１２がラッチ規制部材３０の溝部３２内に移動して、ラッチ板１０とラッチ受け９との施錠が解除され、扉４が開放される。なお、扉４を開ける際に、ラッチ受け９の係合面９ａによってラッチ板１０の回動動作を遅くすることで、扉４を開けるときのラッチ板１０のばね部材４０の付勢力に抗する力を、ラッチ受け９とラッチ板１０との摺接による摩擦で減衰して消音することができる。また、ラッチ板１０とラッチ受け９との施錠が解除されると、ばね部材４０のばね力によってラッチ板１０が回動して切欠き溝８の縁部８ａに衝突するが、第１の緩衝片７１によって衝撃音を消音することができる。
【００３５】
扉４を開放した後、摘み部材２０から手を離すと、図８（ｃ−Ｉ），（ｃ−II）に示すように、復帰ばね部材５０のばね力によって摘み部材２０とラッチ規制部材３０は原点位置すなわちラッチ規制部材３０がラッチ板１０の回動を阻止する位置に自動復帰する。したがって、扉４を閉める際に摘み部材２０を逆方向に回動させる手間を省くことができ、しかも、ラッチ板１０が解錠状態のままの扉４を勢いよく閉めても、反動で扉４が開放するのを防止することができる。
【００３６】
扉４を閉める場合は、図６に示すように、ラッチ板１０の頭部１１がラッチ受け９の係合面９ａに係合し、ばね部材４０のばね力に抗してラッチ板１０を外筒体５と内筒体６に設けられた切欠き溝８内に摺動させながら内方側へ移動して、扉４を閉めることができる。このようにして、扉４を閉めると、ラッチ板１０の頭部１１とラッチ受け９の係合面９ａとの係合が解除され、ばね部材４０のばね力によってラッチ板１０が外方側へ突出し、ラッチ板１０の頭部１１が郵便受け箱２の内側面に衝突するが、第２の緩衝片７２によって衝撃音を消音することができる（図４参照）。
【図面の簡単な説明】
【００３７】
【図１】この発明に係る郵便受け箱の錠装置の全体を示す斜視図である。
【図２】この発明に係る錠装置を構成するラッチ錠の取付部を示す正面斜視図（ａ）及び裏面斜視図（ｂ）である。
【図３】上記ラッチ錠の取付状態を示す分解斜視図である。
【図４】施錠時の状態を示す断面図（ａ）及び（ａ）のＩ−Ｉ線に沿う断面図（ｂ）である。
【図５】扉を開く状態を示す断面図である。
【図６】扉を閉める状態を示す断面図である。
【図７】この発明におけるラッチ規制部材と復帰ばね部材を示す分解斜視図である。
【図８】この発明における摘み部材及びラッチ規制部材とラッチ板の関連動作を示す正面図（ａ−Ｉ，ｂ−Ｉ，ｃ−Ｉ）及び概略断面図（ａ−II，ｂ−II，ｃ−II）である。
【符号の説明】
【００３８】
１  ラッチ錠
２  郵便受け箱
３  開口部
４  扉
５  外筒体
６  内筒体
７  空間
８  切欠き溝
８ａ  縁部
９  ラッチ受け
９ａ  係合面
１０  ラッチ板
１１  頭部
２０  摘み部材
３０  ラッチ規制部材
３１  阻止面
３２  溝部
４０  ばね部材
５０  復帰ばね部材
６０  施錠孔
６１  楕円状凹溝
７１  第１の緩衝片
７２  第２の緩衝片
８０，８０Ａ  南京錠
８１  ロックアーム
【図１】
2009091728.tif 000003
【図２】
2009091728.tif 000004
【図３】
2009091728.tif 000005
【図４】
2009091728.tif 000006
【図５】
2009091728.tif 000007
【図６】
2009091728.tif 000008
【図７】
2009091728.tif 000009
【図８】
2009091728.tif 000010